(57)【要約】【課題】あらゆる店舗において展示販売することができ、しかも、製造作業が簡単で低コストな生花製品を提供する。【解決手段】生花製品１は、柔軟性を有する透明樹脂材で形成された袋体２を備える。袋体２の収容部２ａには、ユリの切花である生花３が収容され、袋体２は、内部に生花３を収容した状態で密封されている。袋体２の内部は、２０．４〜７１．３ｋＰａの範囲に減圧されて真空状態になっている。【選択図】図１
2020070103.tif 000002
【特許請求の範囲】
【請求項１】
生花と、
柔軟性を有する透明樹脂材で形成され、内部に上記生花を収容する収容部を有する密封された袋体とで構成され、
該袋体の内部は、２０．４〜７１．３ｋＰａの範囲に減圧されて真空状態になっていることを特徴とする生花製品。
【請求項２】
請求項１に記載の生花製品において、
上記袋体の内部は、４０．８〜５１ｋＰａの範囲に減圧されて真空状態になっていることを特徴とする生花製品。
【請求項３】
請求項１又は２に記載の生花製品において、
上記袋体の内部には、上記生花の茎の切り口又は根を浸す保水体が封入されていることを特徴とする生花製品。
【発明の詳細な説明】
【技術分野】
【０００１】
本発明は、例えば、食料品店等にて展示販売する生花製品に関する。
【背景技術】
【０００２】
従来より、生花を製品化した生花製品は、一般的に、店頭に並べて販売される。生花製品は、生花が枯れたり、或いは、腐り易いという問題があるだけでなく、生花に付着する花粉や農薬、虫、雑菌等が食料品等に影響を及ぼさないような状態（例えば、食料品等から遠く離れた状態）で展示販売を行う必要がある。したがって、近年では、生花の付着物が食料品等に影響を及ぼさない製品構造の開発や、生花製品にしたときの生花の鮮度の持続時間を長くする取り組み等がなされている。
【０００３】
例えば、特許文献１に開示されている生花製品は、生花と、柔軟性を有する透明樹脂材で形成された袋体とで構成されている。該袋体の内部には、生花が密封状態で収容され、生花の付着物を周囲に飛散させないようにしている。また、生花は、袋体の内部に収容する前において、その表面にアクリルポリマーを主成分として含む被覆処理液がコーティングされるとともに、生花に影響を及ぼさない程度に袋体内部の気体が冷却されていて、生花の呼吸を適度に抑えるとともに、生花中の水分の蒸散を抑制して、生花の精度を持続するようにしている。
【先行技術文献】
【特許文献】
【０００４】
【特許文献１】特開２０１８−１５７８２９号公報
【発明の概要】
【発明が解決しようとする課題】
【０００５】
しかし、特許文献１の生花製品は、生花を袋体に収容する前に、生花の表面に被覆処理液をコーティングするという作業を行う必要があり、作業が煩雑で製造コストが嵩むという問題がある。
【０００６】
また、袋体内部の気体を冷却する必要があるので、展示販売する際に冷却装置が必要であり、展示販売の際に制約が加わるという問題もあった。
【０００７】
本発明は、斯かる点に鑑みてなされたものであり、その目的とするところは、あらゆる店舗において展示販売することができ、しかも、製造作業が簡単で低コストな生花製品を提供することにある。
【課題を解決するための手段】
【０００８】
上記の目的を達成するために、本発明は、袋体の内部を真空にしたことを特徴とする。
【０００９】
すなわち、第１の発明では、生花と、柔軟性を有する透明樹脂材で形成され、内部に上記生花を収容する収容部を有する密封された袋体とで構成され、該袋体の内部は、２０．４〜７１．３ｋＰａの範囲に減圧されて真空状態になっていることを特徴とする。
【００１０】
第２の発明では、第１の発明において、上記袋体の内部は、４０．８〜５１ｋＰａの範囲に減圧されて真空状態になっていることを特徴とする。
【００１１】
第３の発明では、第１又は第２に発明において、上記袋体の内部には、上記生花の茎の切り口又は根を浸す保水体が封入されていることを特徴とする。
【発明の効果】
【００１２】
第１の発明では、袋体が密封状態であるので、生花の付着物が袋体の外側に飛散しない。したがって、生花に付着する花粉や農薬、虫、雑菌等が食料品等に影響を及ぼさないような状態で展示販売を行うことができる。また、生花から蒸散する水分が袋体の内部に留まるようになるので、生花が萎れ難くなって鮮度を長く維持することができる。さらに、袋体内部が減圧状態になっているので、生花が酸化し難くなり、この点においても鮮度を長く維持することができる。また、特許文献１の如き被覆処理液を生体表面にコーティングするといった煩わしさが無く、製造コストを抑えることができるとともに、袋体内部の気体を冷却せずに鮮度を長く維持することができるので、あらゆる店舗において制約無く展示販売することができる。また、袋体の内部に所定の空間が形成された状態で生花を収容しているので、生花の形状が変形することなく、生花を袋体から取り出した後の生花の見栄えを良くすることができる。
【００１３】
第２の発明では、生花の種類に関係無く、生花の鮮度を長く維持することができる。
【００１４】
第３の発明では、水分が気化し易い減圧下の袋体内部において、生花に十分な水分を直接的に供給できるようになり、生花の鮮度の持続期間をさらに長くすることができる。
【図面の簡単な説明】
【００１５】
【図１】本発明の実施形態に係る生花製品の斜視図である。
【図２】本発明の実施形態における生花製品について、袋体の内部に収容する生花の種類を変えながら鮮度の維持日数を評価した結果を示した表である。
【発明を実施するための形態】
【００１６】
以下、本発明の実施形態を図面に基づいて詳細に説明する。尚、以下の好ましい実施形態の説明は、本質的に例示に過ぎない。
【００１７】
図１は、本発明の実施形態に係る生花製品１を示す。該生花製品１は、例えば、食料品店等の店頭において販売するためのものであり、ユリの切花である生花３と、該生花３を内部に収容する収容部２ａを有する袋体２とで構成されている。
【００１８】
該袋体２は、例えば、ポリエチレンとナイロンとの多層構造の透明樹脂材料で形成され、柔軟性を有している。
【００１９】
また、袋体２は、正面視で上下方向に長い台形状をなしており、上方に開口する収容部２ａを有している。
【００２０】
さらに、袋体２は、収容部２ａの開口部分から生花３を収容するとともに当該生花３を収容部２ａに収容した状態で当該収容部２ａの開口部分を溶着により塞いで内部を密封するようになっている。
【００２１】
袋体２の内部には、高吸収性樹脂を含有するゼリー体４（保水体）が封入され、該ゼリー体４には、生花３の茎の切り口３ａが浸されている。
【００２２】
袋体２は、その内部の空気が図示しない真空ポンプにより吸引されて真空状態である一方、収容部２ａに収容された生花３が押し潰されずに原形を留める程度の空間を内部に有する形状になっている。
【００２３】
具体的には、袋体２の内部は、２０．４〜７１．３ｋＰａに減圧されており、好ましくは、４０．８〜５１ｋＰａに減圧されている。
【００２４】
次に、本発明の実施形態に係る生花製品１を用いて実験した結果について説明する。
【００２５】
図２は、生花製品１の鮮度について、袋体２の収容部２ａに収容する生花３の種類、保水体の有無、及び、袋体２の内部の真空状態をそれぞれ変更させながら、何日後までの生花製品１が売り出し可能かを官能評価した結果を示す表である。
【００２６】
実験は、上述の各条件にて製造した各生花製品１を放置するとともに、３日後、５日後、７日後及び１０日後における生花３を袋体２から取り出してその状態を観察し、鮮度が良好の場合には◎、生花３の一部に萎れや傷みが有る場合には〇、生花３の半分に萎れや傷みが有る場合には△、売り物にならない状態である場合には×、と判断することにした。生花３は、和花としてキクを、洋花としてユリを、アレンジメントとしてウレタン材にバラ、ガーベラ、ヒペリカム、シネンシス及びレザーファンをそれぞれ挿したものを、鉢・苗物としてケイトウ、サボテン及びバラをそれぞれ用いた。尚、袋体２の内部を真空状態にするのに、株式会社ＴＯＳＥＩ製のＶ−９３０ＤＬ真空包装機を使用した。
【００２７】
図２の結果から分かるように、袋体２の内部の真空状態が７１．３ｋＰａ以下になると、鮮度の維持日数が長くなる生花３が現れ始めた。一方、袋体２の内部の真空状態を１０．２ｋＰａ以下にすると、収容部２ａに収容された生花３が袋体２の内面に押し潰されて原形を留めない状態になってしまい、生花３を袋体２から取り出した後において、売り物にならない状態であった。
【００２８】
また、袋体２の内部の真空状態を４０．８〜５１ｋＰａにすると、どの種類の生花３であっても７日程度、ゼリー体４の有無に関わらず、生花３の鮮度を維持させることができるようになることが分かった。これは、袋体２の内部を減圧することにより、生花３が酸化し難くなったことが大きな要因と考えられる。
【００２９】
以上より、本発明の実施形態によると、袋体２が密封状態であるので、生花３の付着物が袋体２の外側に飛散しない。したがって、生花３に付着する花粉や農薬、虫、雑菌等が食料品等に影響を及ぼさないような状態で展示販売を行うことができる。
【００３０】
また、生花３から蒸散する水分が袋体２の内部に留まるようになるので、生花３が萎れ難くなって鮮度を長く維持することができる。
【００３１】
さらに、袋体２内部が減圧状態になっているので、生花３が酸化し難くなり、この点においても鮮度を長く維持することができる。
【００３２】
また、特許文献１の如き被覆処理液を生体表面にコーティングするといった煩わしさが無く、製造コストを抑えることができるとともに、袋体２内部の気体を冷却せずに鮮度を長く維持することができるので、あらゆる店舗において制約無く展示販売することができる。
【００３３】
また、袋体２の内部に所定の空間が形成された状態で生花３を収容しているので、生花３の形状が変形することなく、生花３を袋体２から取り出した後の生花３の見栄えを良くすることができる。
【００３４】
また、袋体２内部の真空状態を４０．８〜５１ｋＰａにすると、生花３の種類に関係無く、生花３の鮮度を長く維持することができる。
【００３５】
また、密封された袋体２の内部にゼリー体４を封入すると、水分が気化し易い減圧下の袋体２内部において、生花３に十分な水分を直接的に供給できるようになり、生花３の鮮度の持続期間をさらに長くすることができる。
【００３６】
尚、本発明の実施形態では、袋体２をポリエチレンとナイロンとの多層構造の透明樹脂材料で形成しているが、これに限らず、ポリエチレンからなる透明樹脂材料で形成してもよいし、ナイロンからなる透明樹脂材料で形成してもよく、その他の透明樹脂材料で形成してもよい。
【００３７】
また、本発明の実施形態では、袋体２を正面視で略台形状にしているが、その他の形状であってもよい。
【００３８】
また、本発明の実施形態では、生花３としてユリを用いたが、これに限らず、生花３としてその他の和花や洋花を用いてもよく、アレンジメント、鉢・苗物を用いてもよい。
【００３９】
また、本発明の実施形態では、ゼリー体４を袋体２の内部に封入して生花３に保水を行っているが、例えば、鉢・苗物の場合には、保水体として水を含ませたウレタン材を封入して根を浸すようにしてもよい。
【産業上の利用可能性】
【００４０】
本発明は、例えば、食料品店等にて展示販売する生花製品に適している。
【符号の説明】
【００４１】
１        生花製品
２        袋体
２ａ        収容部
３        生花
４        ゼリー体（保水体）
【図１】
2020070103.tif 000003
【図２】
2020070103.tif 000004